(57)【要約】【課題】本発明はインターナルポンプの据付、取り外し作業を効率化できるインターナルポンプ及びインターナルポンプの締結操作方法を提供する。【解決手段】インペラと、ポンプケーシングの内部に収容された水中モータと、水中モータの駆動力をインペラに伝達して回転させるインペラシャフトと、インペラシャフトの下部に設けられたカップリングスタッドと、カップリングスタッドが挿入される貫通孔を有するスラストディスクと、ポンプケーシングに着脱自在に設けられて底部に閉止プラグを装着した穴部を有するモーターカバーを備えたインターナルポンプにおいて、カップリングスタッドを高温状態でその形状が復元する剛性のある材質によって形成し、カップリングスタッドの外側面を温度に応じてスラストディスクに形成した貫通部の内側面に圧着させるように構成して、カップリングスタッドとスラストディスクとを締結した。【選択図】図１
2011214831.tif 000002
【特許請求の範囲】
【請求項１】
インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けられたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプにおいて、
前記カップリングスタッドを高温状態でその形状が復元する剛性のある材質によって形成し、前記カップリングスタッドの外側面を温度に応じてスラストディスクに形成した貫通部の内側面に圧着させるように構成して、前記インペラシャフトの下部に設けたカップリングスタッドとスラストディスクとを締結することを特徴とするインターナルポンプ。
【請求項２】
請求項１に記載のインターナルポンプにおいて、前記カップリングスタッドを形成する材質として形状記憶合金を用いたことを特徴とするインターナルポンプ。
【請求項３】
インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けら高温状態でその形状が復元する剛性のある材質によって形成されたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプのカップリングスタッドとスラストディスクとの締結を操作するインターナルポンプの締結操作方法において、
カップリングスタッドとスラストディスクとの締結を行なう際には、最初に工具でカップリングスタッドを軸方向に引っ張って該カップリングスタッドの直径を縮小させた状態でこのカップリングスタッドをスラストディスクに形成された貫通孔に挿入し、
次に、ポンプケーシングの底部に設けたモーターカバーに形成された穴部に装着した閉止プラグを取り外して前記穴部を通じて熱源となる高温蒸気を流入させ、この高温蒸気によってカップリングスタッドを加熱することで前記カップリングスタッドの直径を元の寸法に復元させて前記カップリングスタッドの外面側をスラストディスクの貫通孔の内面側に圧着させて両者を固着するようにしたことを特徴とするインターナルポンプの締結操作方法。
【請求項４】
インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けら高温状態でその形状が復元する剛性のある材質によって形成されたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプのカップリングスタッドとスラストディスクとの締結を操作するインターナルポンプの締結操作方法において、
カップリングスタッドとスラストディスクとの締結を解除する際には、最初にポンプケーシングの底部に設けたモーターカバーに形成された穴部に装着した閉止プラグを取り外して前記穴を通じて工具を挿入してカップリングスタッドの下端部と係合させ、
次に、前記工具を用いて前記カップリングスタッドを軸方向に引き伸ばして該カップリングスタッドの直径を縮小した状態に変化させて前記カップリングスタッドの外面とスラストディスクに形成した貫通孔の内面との間に微小な間隙を生じさせ、
次に、モーターカバーをポンプケーシングの底部から取り外してスラストディスクをカップリングスタッドから取り外すようにしたことを特徴とするインターナルポンプの締結操作方法。
【発明の詳細な説明】
【技術分野】
【０００１】
本発明は、原子炉の冷却材を再循環させる再循環ポンプ（インターナルポンプ）に係り、特にインペラシャフトとスラストディスクとの締結構造に係るインターナルポンプ、及びインターナルポンプの締結操作方法に関する。
【背景技術】
【０００２】
特開平０３−２１１４９４号公報に記載されているように、インターナルポンプは原子炉圧力容器下部に複数台設置されている。
【０００３】
このインターナルポンプには、原子炉圧力容器の内部にて炉水を循環させるインペラと、ポンプの静止側水力部であるディフューザとがそれぞれ設置され、このインペラに締結されて該インペラを駆動するインペラシャフトが原子炉圧力容器の壁面を貫通して配設されている。
【０００４】
原子炉圧力容器の下部には、このインペラシャフトに取り付けられ該インペラシャフトを回転駆動させる水中モータを構成する回転子と、水中モータを構成する固定子とをそれぞれ内部に収容するポンプケーシングが原子炉圧力容器の外部となる下方に延びて設けられている。
【０００５】
このポンプケーシングの内部には、インペラシャフトのスラストを支承するスラストディスクが収容され、このポンプケーシングの底部にはモーターカバーとなるメインフランジが設置されている。そして回転子及びスラストディスクとでモータ回転体を構成している。
【０００６】
前記インターナルポンプには、インペラシャフトの下端にカップリングスタッドが取り付けられており、このカップリングスタッドをスラストディスクの中央に形成した貫通孔に通して配設し、スラストディスクの下部側からロックナットを装着することによってカップリングスタッドをスラストディスクに締め付ける構造にして、インペラシャフトとモータ回転体のスラストディスクとを締結している。
【０００７】
前記メインフランジの中央部にはロックナットの取り付け、取り外しを行なう工具を挿入する貫通部が形成されており、インターナルポンプが運転中は、この貫通部を閉塞する補助カバーとなる小フランジが前記メインフランジに取り付けられて、前記インターナルポンプを構成している。
【０００８】
そして前記構成のインターナルポンプを定期検査する時には、まず、補助カバーを取り外して前記メインフランジの中央部に形成した貫通部から工具を挿入して前記ロックナットを取り外してインペラシャフトとスラストディスクとを分離し、インペラシャフトは原子炉圧力容器の上部から取り出す。
【０００９】
また、メインフランジをポンプケーシングから外し、スラストディスク、並びに水中モータを構成する回転子及び固定子を原子炉圧力容器の下部からそれぞれ取り出す作業を行なうことによって、インターナルポンプの定期検査を行なうことになる。
【００１０】
また、前記インターナルポンプの定期検査終了後は、前記作業とは逆の手順で作業を行なってこのインターナルポンプを原子炉圧力容器に取り付けている。
【００１１】
前記補助カバーはモーターカバーと共に原子炉冷却材圧カバウンダリの構成部材であり、よってこの補助カバーにはモーターカバーと同等の強度的に最も厳しい管理基準が適用されている。
【先行技術文献】
【特許文献】
【００１２】
【特許文献１】特開平０３−２１１４９４号公報
【発明の概要】
【発明が解決しようとする課題】
【００１３】
しかしながら、特開平０３−２１１４９４号公報に記載されたような構造のインターナルポンプでは、インペラシャフトの下端に設けたカップリングスタッドとモータ回転体のスラストディスクとがロックナットによって締結される構造であるため、インターナルポンプの定期検査でインターナルポンプを原子炉圧力容器に取り付け、又は原子炉圧力容器から取り外す際に、カップリングスタッドに対するロックナットの取り付け、又は取り外しを行なう必要となる。
【００１４】
したがって、特開平０３−２１１４９４号公報に記載されたような構造のインターナルポンプでは、ロックナットの取り付け又は取り外しに上記した作業が必要なので相当に手間が掛かり、よってインターナルポンプの据付、取り外し作業の効率を向上させることは困難であった。
【００１５】
また、特開平０３−２１１４９４号公報に記載されたような構造のインターナルポンプでは、モーターカバー中央部に形成した貫通部を通じてカップリングスタッドに取り付け、又はカップリングスタッドから取り外したロックナットを出し入れするために、前記貫通部のサイズはロックナットの外径以上の直径をもつ大径の貫通部をメインフランジの中央部に設ける必要があり、メインフランジの貫通部の大きさを小径にすることは困難である。
【００１６】
本発明の目的は、インターナルポンプの据付、取り外し作業を大幅に効率化できるインターナルポンプ及びインターナルポンプの締結操作方法を提供することにある。
【課題を解決するための手段】
【００１７】
本発明のインターナルポンプは、インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けられたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプにおいて、前記カップリングスタッドを高温状態でその形状が復元する剛性のある材質によって形成し、前記カップリングスタッドの外側面を温度に応じてスラストディスクに形成した貫通部の内側面に圧着させるように構成して、前記インペラシャフトの下部に設けたカップリングスタッドとスラストディスクとを締結することを特徴とする。
【００１８】
本発明のインターナルポンプの締結操作方法は、インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けら高温状態でその形状が復元する剛性のある材質によって形成されたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプのカップリングスタッドとスラストディスクとの締結を操作するインターナルポンプの締結操作方法において、カップリングスタッドとスラストディスクとの締結を行なう際には、最初に工具でカップリングスタッドを軸方向に引っ張って該カップリングスタッドの直径を縮小させた状態でこのカップリングスタッドをスラストディスクに形成された貫通孔に挿入し、次に、ポンプケーシングの底部に設けたモーターカバーに形成された穴部に装着した閉止プラグを取り外して前記穴部を通じて熱源となる高温蒸気を流入させ、この高温蒸気によってカップリングスタッドを加熱することで前記カップリングスタッドの直径を元の寸法に復元させて前記カップリングスタッドの外面側をスラストディスクの貫通孔の内面側に圧着させて両者を固着するようにしたことを特徴とする。
【００１９】
また、本発明のインターナルポンプの締結操作方法は、インペラと、水中モータと、ポンプケーシングと、前記ポンプケーシングの内部にそれぞれ収容され、水中モータの駆動力をインペラに伝達して回転させるインペラシャフトと、このインペラシャフトの下部に設けら高温状態でその形状が復元する剛性のある材質によって形成されたカップリングスタッドと、前記カップリングスタッドが挿入される貫通孔を有するスラストディスクと、前記ポンプケーシングに着脱自在に設けられ、その底部に閉止プラグを着脱自在に装着した穴部を有するモーターカバーを備えたインターナルポンプのカップリングスタッドとスラストディスクとの締結を操作するインターナルポンプの締結操作方法において、カップリングスタッドとスラストディスクとの締結を解除する際には、最初にポンプケーシングの底部に設けたモーターカバーに形成された穴部に装着した閉止プラグを取り外して前記穴を通じて工具を挿入してカップリングスタッドの下端部と係合させ、次に、前記工具を用いて前記カップリングスタッドを軸方向に引き伸ばして該カップリングスタッドの直径を縮小した状態に変化させて前記カップリングスタッドの外面とスラストディスクに形成した貫通孔の内面との間に微小な間隙を生じさせ、次に、モーターカバーをポンプケーシングの底部から取り外してスラストディスクをカップリングスタッドから取り外すようにしたことを特徴とする。
【発明の効果】
【００２０】
本発明によれば、インターナルポンプの据付、取り外し作業を大幅に効率化できるインターナルポンプ及びインターナルポンプの締結操作方法が実現できる。
【図面の簡単な説明】
【００２１】
【図１】本発明の一実施例であるインターナルポンプの全体構造を示す断面図。
【図２】図１に示した本実施例のインターナルポンプにおけるカップリングスタッドとスラストディスクとの締結部分を示す部分断面図。
【図３】図２示した本実施例のインターナルポンプにおけるカップリングスタッドとスラストディスクとの締結時の状況を示す説明図。
【図４】図２示した本実施例のインターナルポンプにおけるカップリングスタッドとスラストディスクとの締結解除時の状況を示す説明図。
【発明を実施するための形態】
【００２２】
本発明の一実施例である原子炉の冷却材を再循環させるインターナルポンプにおけるインペラシャフトとスラストディスクとの締結構造について図面を引用して以下に説明する。
【実施例１】
【００２３】
本発明の一実施例である原子炉の冷却材を再循環させるインターナルポンプにおけるインペラシャフトとスラストディスクとの締結構造について図１乃至図４を用いて説明する。
【００２４】
図１は本発明一実施例である原子炉の冷却材を再循環させるインターナルポンプ１０の全体構造を示すものであり、このインターナルポンプ１０は、原子炉圧力容器１の下部に周方向に適宜間隔を置いて複数台、例えば１０台程度設置されている。
【００２５】
前記インターナルポンプ１０の構成は、原子炉圧力容器１の内部の下部にそれぞれ設置され、原子炉圧力容器１内の炉水を循環させるインペラ２及びポンプの静止側水力部となるディフューザ４と、この原子炉圧力容器１の下部に設けられて原子炉圧力容器１の外部となる下方に延びるポンプケーシング７と、このポンプケーシング７の内部に配設されており該原子炉圧力容器１の壁面を貫通して設置されたインペラシャフト３とを備えている。
【００２６】
前記インペラシャフト３は、上端がインペラ２と締結され、このインペラ２を回転させるように構成されている。
【００２７】
前記ポンプケーシング７の内部には、インペラ２を駆動させるためにインペラシャフト３を回転駆動させる駆動用の水中モータ５を構成する回転子５ａがインペラシャフト３の外周側に一体となるように取り付けられている。このインペラシャフト３は水中モータ５の駆動力をインペラ２に伝達して回転駆動させるものである。
【００２８】
また、駆動用の水中モータの回転子５ａに面して、駆動用の水中モータ５を構成する固定子５ｂがポンプケーシング７の内周側に装着されている。
【００２９】
図２にポンプケーシング７の内部の下部の構造を部分的に拡大して示したように、水中モータ５の回転子５ａを取り付けたインペラシャフト３のスラスト力を支承する断面がＵ字状のスラストディスク６がポンプケーシング７の内部に回転可能に収容されている。
【００３０】
このポンプケーシング７の底部には前記スラストディスク６を載置したフランジ状のモーターカバー８を着脱可能に設置することによって、前記Ｕ字状のスラストディスク６とモーターカバー８との間に空間部を形成させている。
【００３１】
そして前記水中モータの回転子５ａとスラストディスク６とでモータ回転体を構成している。
【００３２】
前記ポンプケーシング７の底部に取り付けられたモーターカバー８の中央には貫通したドレン孔１４が形成されており、このドレン孔１４に着脱可能な閉止プラグ１２が取り付けられている。
【００３３】
前記インペラシャフト３の下端にはカップリングスタッド９が取り付けられており、このカップリングスタッド９をスラストディスク６に形成した貫通孔６ａに配設し、このカップリングスタッド９の外側面とスラストディスク６の貫通孔６ａの内側面とを圧着させることによって前記カップリングスタッド９を前記スラストディスク６の貫通孔６ａによって締め付け両者を固着させている。
【００３４】
カップリングスタッド９とスラストディスク６とを圧着させて固着するために、本実施例のインターナルポンプに用いる前記カップリングスタッド９は、高温になると形状が復元する剛性のある材質（形状記憶合金に代表される合金等）によって製作する。
【００３５】
この形状記憶合金でカップリングスタッド９を製作することによって、例えば、カップリングスタッド９をスラストディスク６の小径の貫通孔６ａから取り外す際には、工具でカップリングスタッド９を軸方向に引っ張って引き伸ばすことにより該カップリングスタッド９の直径を縮小させて両者の圧着状態を解き、カップリングスタッド９をスラストディスク６の貫通孔６ａから取り外す。
【００３６】
また、カップリングスタッド９をスラストディスク６の貫通孔６ａに取り付ける際には、最初に、工具でカップリングスタッド９を軸方向に引っ張って該カップリングスタッド９の直径を縮小させた状態でこのカップリングスタッド９をスラストディスク６の小径の貫通孔６ａに挿入する。
【００３７】
この状態では図３に示したように、カップリングスタッド９の外面とスラストディスク６に形成した小径の貫通孔６ａの内面との間に微小な間隙が存在している。
【００３８】
次に、ポンプケーシング７の底部に設けたモーターカバー８に形成されたドレン孔１４に装着した閉止プラグ１２を取り外し、このドレン孔１４を通じて高温蒸気の熱源によって該カップリングスタッド９を加熱、又はヒータによって該カップリングスタッド９を加熱してカップリングスタッド９の直径を破線で示した縮小した状態から実線で示した元の直径の寸法に復元させ、カップリングスタッド９をスラストディスク６の貫通孔６ａに圧着させる。
【００３９】
前記インペラシャフト３の下端に設けたカップリングスタッド９の先端の位置は、前記Ｕ字状のスラストディスク６とモーターカバー８との間に形成した空間部に面しており、前記モーターカバー８の中央に形成したドレン孔１４を通る線分の延長線に位置するように配置されている。
【００４０】
そして、前記カップリングスタッド９の下端となる先端部にはカップリングスタッドボス穴９ａが設けられており、インターナルポンプ１０の定期検査時にモーターカバー８のドレン孔１４を通じて挿入される工具の引っ張り棒１３の先端が、このカップリングスタッドボス穴９ａと係合できるように構成されている。
【００４１】
次に本実施例のインターナルポンプ１０におけるインペラシャフト３側と、スラストディスク６ａ側と締結を行なう場合、並びに締結の解除を行なう場合について図３及び図４を用いてそれぞれ説明する。
【００４２】
図３を用いて本実施例のインターナルポンプ１０におけるインペラシャフト３の下部に設けたカップリングスタッド９と、スラストディスク６の貫通孔６ａとを締結する場合について説明する。
【００４３】
図３に示したように、本実施例のインターナルポンプ１０では、インペラシャフト３の下部に設けたカップリングスタッド９として、高温状態でその形状が復元する剛性のある材質によって形成したカップリングスタッド９を用いており、このカップリングスタッド９をスラストディスク６の小径の貫通孔６ａに取り付けて締結する際には、最初に、工具でカップリングスタッド９を軸方向に引っ張って該カップリングスタッド９の直径をスラストディスク６の貫通孔６ａの内径よりも小径となるように縮小させる。
【００４４】
そして、カップリングスタッド９の直径を縮小させた状態でこのカップリングスタッド９をスラストディスク６に形成された小径の貫通孔６ａに挿入する。
【００４５】
カップリングスタッド９をスラストディスク６の貫通孔６ａに挿入した状態では図３に示したように、カップリングスタッド９の外面とスラストディスク６に形成した小径の貫通孔６ａの内面との間に微小な間隙が存在する。
【００４６】
次に、ポンプケーシング７の底部に設けたモーターカバー８に形成したドレン孔１４に装着した閉止プラグ１２を取り外し、このドレン孔１４を通じて熱源となる高温蒸気を内部に流入させて前記Ｕ字状のスラストディスク６とモーターカバー８との間に形成した空間部に高温蒸気を供給する。
【００４７】
この空間部に供給した熱源となる高温蒸気を供給することによって該カップリングスタッド９を加熱し、前記カップリングスタッド９の直径を元の寸法に復元するまで拡大させ、カップリングスタッド９の外面側をスラストディスク６の貫通孔６ａの内面側に圧着させて両者の固着を完了させる。
【００４８】
このように操作することで、本実施例のインターナルポンプ１０におけるインペラシャフト３側と、スラストディスク６ａ側との締結が行なわれる。
【００４９】
尚、カップリングスタッド９を加熱する方法として、前記したように高温蒸気を供給する以外にもヒータによって該カップリングスタッド９を直接加熱することが考えられる。
【００５０】
次に、図４を用いて本実施例のインターナルポンプ１０におけるインペラシャフト３の下端部に設けたカップリングスタッド９と、スラストディスク６の貫通孔６ａとの締結を解除する場合について説明する。
【００５１】
図４に示したように、本実施例のインターナルポンプ１０では、インペラシャフト３の下部に設けたカップリングスタッド９として、高温状態でその形状が復元する剛性のある材質によって形成したカップリングスタッド９を用いており、このカップリングスタッド９をスラストディスク６の小径の貫通孔６ａから取り外す際には、ポンプケーシング７の底部に設けたモーターカバー８に形成されたドレン孔１４に装着した閉止プラグ１２を取り外し、このドレン孔１４を通じて工具の引張り棒１３を挿入して該引張り棒１３の先端をカップリングスタッド９の下端である先端に設けたカップリングスタッドボス穴９ａと係合させる。
【００５２】
次に、この引張り棒１３を下側に引っ張ることで前記カップリングスタッド９を軸方向に引き伸ばし、カップリングスタッド９の直径を破線で示した元の寸法から実線で示したスラストディスク６の貫通孔６ａの内径よりも縮小した小径の状態に変化させ、図４に示したように、カップリングスタッド９の外面とスラストディスク６に形成した貫通孔６ａの内面との間に微小な間隙を生じさせる。
【００５３】
そして、モーターカバー８をポンプケーシング７の底部から取り外し、このモーターカバー８に載置されたスラストディスク６をカップリングスタッド９から抜き取ってポンプケーシング７の底部から外部に取り外す。
【００５４】
このように操作することで、本実施例のインターナルポンプ１０におけるインペラシャフト３側と、スラストディスク６ａ側との締結の解除が行なわれる。
【００５５】
前記スラストディスク６の取り外しと同時に、水中モータの回転子５ａ及び固定子５ｂもポンプケーシング７の底部から抜き出されて外部に取り外される。
【００５６】
尚、カップリングスタッドボス穴９ａの外径はカップリングスタッド９の外径よりも小さく形成され、カップリングスタッドボス穴９ａに係合する引張り棒１３の外径も、カップリングスタッド９の外径未満の寸法に形成されるため、モーターカバー８に形成したドレン穴１４の直径はカップリングスタッド９の外径未満の寸法に形成されることになる。
【００５７】
以上説明したことから明らかなように、本実施例のインターナルポンプ１０では、インペラシャフト３の下端部に設けた高温状態でその形状が元の寸法に復元する剛性のある材質によって形成したカップリングスタッド９と、スラストディスク６とを圧着させて締結する構成としたことから、インターナルポンプ１０の据付、取り外し時に、カップリングスタッド９とスラストディスク６との締結時にナット締め作業が不要となるので、インターナルポンプ１０の据付、取り外し作業を効率化できる。
【００５８】
また、ポンプケーシング７の底部に取り付けるモーターカバー８の中央部に形成する貫通したドレン穴１４の直径を、大幅に小径にできるので、ドレン穴１４に装着させる閉止プラグ１２を原子炉冷却材圧カバウンダリの構成部材として取り扱う必要性がなくなり、圧力バウンダリ構成部材の低減が可能となる。
【００５９】
本実施例によれば、インターナルポンプの据付、取り外し作業を大幅に効率化できるインターナルポンプ及びインターナルポンプの締結操作方法が実現できる。
【産業上の利用可能性】
【００６０】
本発明は原子炉の冷却材を再循環させるインターナルポンプにおけるインペラシャフトとスラストディスクとの締結構造に係るインターナルポンプ及びインターナルポンプの締結操作方法に適用可能である。
【符号の説明】
【００６１】
１：原子炉圧力容器、２：インペラ、４：ディフューザ、３：インペラシャフト、５：水中モータ、５ａ：回転子、５ｂ：固定子、６：スラストディスク、６ａ：貫通孔、７：ポンプケーシング、８：モーターカバー、９：カップリングスタッド、９ａ：カップリングスタッドボス穴、１０：インターナルポンプ、１２：閉止プラグ、１３：引張り棒、１４：ドレン孔。
【図１】
2011214831.tif 000003
【図２】
2011214831.tif 000004
【図３】
2011214831.tif 000005
【図４】
2011214831.tif 000006